(57)【要約】【課題】光デジタル信号を利用する携帯端末の小型化・低廉化を図ることができる光デジタル信号入力システムを提供する。【解決手段】１０芯角型コネクタ６及び１０芯角型コネクタ６に接続される機器からデジタル信号である電気信号を１０芯角型コネクタ６の所定の端子を介して受信する受信部（図示せず）を有する携帯電話端末１と、光デジタルケーブル３１から出力される光デジタル信号を電気信号に変換する光電変換部（図示せず）及び前記光電変換部から出力される電気信号を出力する端子を具備する１０芯角型プラグ２２を有する光変換アダプタ２１と、を備える光デジタル信号入力システム。【選択図】      図１
2004153494.tif 000002
【特許請求の範囲】
【請求項１】
入力された光デジタル信号を電気信号に変換する光電変換部と、前記光電変換部から出力される電気信号を出力する端子を具備する１０芯角型プラグと、を備えることを特徴とする携帯端末用アダプタ。
【請求項２】
１０芯角型コネクタ及び前記１０芯角型コネクタに接続される機器からデジタル信号である電気信号を前記１０芯角型コネクタの所定の端子を介して受信する受信手段を有する携帯端末と、
請求項１に記載の携帯端末用アダプタと、
を備えることを特徴とする光デジタル信号入力システム。
【請求項３】
前記携帯端末が外付けの記録媒体又は内蔵の記録手段に前記受信手段が受信した電気信号に基づく情報を記録する請求項２に記載の光デジタル信号入力システム。
【発明の詳細な説明】
【０００１】
【発明の属する技術分野】
本発明は、光デジタル信号を利用する携帯機器に関する。
【０００２】
【従来の技術】
従来の光デジタル信号を入力できる携帯機器の一例として、非特許文献１に開示されている受信ユニットを内蔵した携帯電話端末（以下、受信ユニット付き携帯電話端末という）が挙げられる。
【０００３】
受信ユニット付き携帯電話端末が具備する受信ユニットは、φ２．５ｍｍの超小型単頭プラグ（ＪＩＳ  Ｃ６５６０）対応のφ２．５ｍｍ６極ジャックと、該６極ジャックの奥に設けられる光電変換部とを有している。φ３．５ｍｍプラグを有する光ファイバケーブルに、非特許文献１に開示されているプラグ径をφ３．５ｍｍからφ２．５ｍｍに変換するプラグ変換アダプタを挿入し、プラグ変換アダプタが挿入された光ファイバケーブルを受信ユニット付き携帯電話端末のφ２．５ｍｍ６極ジャックに接続することによって、受信ユニット付き携帯電話端末が光デジタル信号を入力することができる。
【０００４】
受信ユニット付き携帯電話端末は、入力した光デジタル信号を受信ユニットの光電変換部によって電気信号に変換し、該電気信号を装脱着可能なＳＤカード（Ｒ）等の記録媒体にデジタル記録する。なお、受信ユニット付き携帯電話端末が入力する光デジタル信号は、オーディオ信号である。
【０００５】
一方、受信ユニット付き携帯電話端末が具備する受信ユニットは、イヤホンマイクに音声電気信号を送ったり、イヤホンマイクから音声電気信号を受け取ったりすることができる。したがって、受信ユニット付き携帯電話端末が具備する受信ユニットの６極ジャックは光デジタル信号用のジャックであるとともにイヤホンマイク用のジャックでもある。このようなジャックの共用化を行うことで、受信ユニット付き携帯電話端末に設けるジャック数を減らしている。
【０００６】
【非特許文献１】
増田佳史、外３名，「モバイル機器用光ファイバ・リンク」，シャープ技報，シャープ株式会社，２００２年８月，第８３号，Ｐ．３４−３５
【０００７】
【発明が解決しようとする課題】
しかしながら、６極ジャックのサイズが大きいため、受信ユニット付き携帯電話端末自体のサイズも大きくなるという問題があった。また、受信ユニット付き携帯電話端末は光電変換部を内蔵しているため、受信ユニット付き携帯電話端末自体の価格が高くなり、音楽録音を行わない場合は光電変換部が無駄な機能となり、不経済であるという問題があった。
【０００８】
本発明は、上記の問題点に鑑み、光デジタル信号を利用する携帯端末の小型化・低廉化を図ることができる光デジタル信号入力システムを提供することを目的とする。
【０００９】
【課題を解決するための手段】
上記目的を達成するために、本発明に係る光デジタル信号入力システムにおいては、１０芯角型コネクタ及び前記１０芯角型コネクタに接続される機器からデジタル信号である電気信号を前記１０芯角型コネクタの所定の端子を介して受信する受信手段を有する携帯端末と、入力された光デジタル信号を電気信号に変換する光電変換部及び前記光電変換部から出力される電気信号を出力する端子を具備する１０芯角型プラグを有する携帯端末用アダプタと、を備える構成とする。
【００１０】
このような構成によると、携帯端末が光電変換部を内蔵する必要がないので、携帯端末の小型化・低廉化を図ることができる。また、携帯端末と携帯端末用アダプタとが接続されることによって、携帯端末が光デジタル信号を利用することが可能となる。また、携帯端末が携帯端末用アダプタから入力する信号は電気信号であるので、携帯端末が備える受信手段の簡易化を図ることができるとともに、当該受信手段に携帯端末用アダプタ以外の外部機器から出力される電気信号を受信させることによって当該受信手段に汎用性を持たせることができる。さらに、１０芯角型コネクタ及び１０芯角型プラグは既存品であるので、光デジタル信号入力システムを比較的容易に実現できるとともにイヤホンマイクやイヤホン等に対応する従来のインターフェイス仕様も満足させることができる。
【００１１】
また、前記携帯端末が外付けの記録媒体又は内蔵の記録手段に前記受信手段が受信した電気信号に基づく情報を記録するようにしてもよい。これにより、光デジタル信号伝送による情報記録が可能となる。
【００１２】
【発明の実施の形態】
以下に本発明の一実施形態について図面を参照して説明する。本発明に係る光デジタル信号入力システムの構成部品である携帯電話端末、本発明に係る光デジタル信号入力システムの構成部品である光変換アダプタ、及び携帯電話用外部機器の一例であるイヤホンマイクの外観図を図１に示す。なお、他の携帯電話用外部機器としては、例えばイヤホン等が挙げられる。
【００１３】
携帯電話端末１は、正面にスピーカ３及びＬＣＤ（Ｌｉｑｕｉｄ  Ｃｒｙｓｔａｌ  Ｄｉｓｐｌａｙ）４が設けられた第１の筐体と、正面にマイクロホン２及び操作キー５が設けられ側面に携帯電話用角型コネクタ（以下、１０芯角型コネクタという）６が設けられた第２の筐体とがヒンジによって互いに折り畳み可能な折り畳み構造の携帯電話装置である。また、携帯電話端末１は、ＳＤカード（Ｒ）等の記録媒体の装脱着が可能なスロット（図示せず）を第２の筐体の側面に有している。なお、携帯電話端末１は、当然のことながら内部に送受信回路等の電話機能に必要な回路を具備している。携帯電話端末１は、光電変換部を内蔵していないので小型化・低廉化を図ることができる。
【００１４】
光変換アダプタ２１は、１０芯角型コネクタ用プラグ（以下、１０芯角型プラグという）２２と、φ３．５ｍｍジャック２３と、光電変換部（図１において図示せず）とを備えている。φ３．５ｍｍジャック２３には、φ３．５ｍｍプラグを有する光デジタルオーディオケーブル３１が挿入される。
【００１５】
携帯電話端末１に設けられる１０芯角型コネクタ６及び光変換アダプタ２１に設けられる１０芯角型プラグ２２は既存品であるので、本発明に係る光デジタル信号入力システムを比較的容易に実現できるとともにイヤホンマイクやイヤホン等に対応する従来のインターフェイス仕様も満足させることができる。
【００１６】
イヤホンマイク４１は、フックスイッチ４２と、マイク４３と、イヤホンレシーバ４４と、１０芯角型プラグ４５とを備えている。
【００１７】
使用者は使用目的に応じて、光変換アダプタ２１又はイヤホンマイク４１のいずれか１つの機器を携帯電話端末１の１０芯角型コネクタ６に装着する。すなわち、光オーディオ信号を用いて音楽録音を行う場合は光変換アダプタ２１の１０芯角型プラグ２２が携帯電話端末１の１０芯角型コネクタ６に挿入され、ハンドフリー通話を行う場合はイヤホンマイク４１の１０芯角型プラグ４５が携帯電話端末１の１０芯角型コネクタ６に挿入される。なお、光変換アダプタ２１及びイヤホンマイク４１以外の機器であっても１０芯角型プラグを有する機器であれば携帯電話端末１と接続可能である。
【００１８】
携帯電話端末１のコネクタインタフェース部及び光変換アダプタ２１の回路構成を図２に示す。なお、図２において図１と同一の部分には同一の符号を付す。
【００１９】
光変換アダプタ２１の１０芯角型プラグ２２は、１番端子１ａ〜１０番端子１０ａを有している。１番端子１ａ、６番端子６ａ、及び１０番端子１０ａがアンプ２５のグランド端子に接続される。また、７番端子７ａがアンプ２５の電源端子に接続され、８番端子８ａがアンプ２５の出力端子に接続され、９番端子９ａがアンプ２５のパワー制御端子に接続される。さらに、ジャック２３（図１参照）に挿入される光デジタルオーディオケーブル３１（図１参照）から出力される光デジタルオーディオ信号を受光するフォトダイオード２４がアンプ２５の入力側に接続される。
【００２０】
このような構成により、フォトダイオード２４が光デジタルオーディオ信号を電気信号に変換してアンプ２５に出力する。アンプ２５は、７番端子７ａに電力が供給され且つ９番端子９ａにパワーＯＮの制御信号が供給されると、フォトダイオード２４から出力される電気信号を増幅し、その増幅した信号（以下、ＢＩＰ信号という）を８番端子８ａに出力する。
【００２１】
携帯電話端末１のコネクタインタフェース部１’は、１０芯角型コネクタ６と、マイク回路７と、インタフェース制御回路８と、イヤホン回路９と、プルアップ制御回路１０と、電源供給回路１１と、ＢＩＰインタフェース回路１２とによって構成されている。１０芯角型コネクタ６は１番端子１ｂ〜１０番端子１０ｂを有している。１番端子１ｂと１０番端子１０ｂとがそれぞれグランドに接続される。また、２番端子２ｂがマイク回路７の入力側に接続される。３番端子３ｂが抵抗Ｒ１の一端及びインタフェース制御回路８に接続され、６番端子６ｂが抵抗Ｒ２の一端及びインタフェース制御回路８に接続される。そして、抵抗Ｒ１の他端及び抵抗Ｒ２の他端には所定の電圧Ｖｃが印加される。また、４番端子４ｂがイヤホン回路９のＬｃｈ出力端子に接続され、５番端子５ｂがイヤホン回路９のＲｃｈ出力端子に接続される。そして、７番端子７ｂが電源供給回路１１の出力側に接続される。８番端子８ｂが、抵抗Ｒ３の一端、ＢＩＰインタフェース回路１２、及びインタフェース制御回路８にそれぞれ接続され、抵抗Ｒ３の他端がプルアップ制御回路１０の出力側に接続される。９番端子９ｂが、抵抗Ｒ４の一端及びインタフェース制御回路８に接続され、抵抗Ｒ４の他端が７番端子７ｂと電源供給回路１１との接続ノードに接続される。
【００２２】
光変換アダプタ２１と携帯電話端末１のコネクタインタフェース部１’とが上述した回路構成であるので、光変換アダプタ２１の１０芯角型プラグ２２が携帯電話端末１の１０芯角型コネクタ６に挿入された場合すなわち１番端子１ａと１番端子１ｂ同士、２番端子２ａと２番端子２ｂ同士、…、１０番端子１０ａと１０番端子１０ｂ同士がそれぞれ接続された場合、３番端子３ｂの電圧レベルはＨｉｇｈレベルになり、６番端子６ｂの電圧レベルはＬｏｗレベル（＝グランド電位）になる。
【００２３】
携帯電話端末１は、プラグ装着を検出する３番端子３ｂとステレオ／モノラルプラグを検出する６番端子６ｂの状態に基づいて自動的に１０芯角型コネクタ６に接続された機器を判定してコネクタインタフェース機能を切り替え、接続された機器に応じたインタフェース状態にする。このときの動作を図２の回路図及び図３のフローチャートを参照して以下に説明する。
【００２４】
携帯電話端末１の電源がＯＮになると、図３に示すフローが開始する。まず、インタフェース制御回路８によって３番端子３ｂの電圧レベルがＨｉｇｈレベルか否かが判定される（ステップＳ１０）。
【００２５】
３番端子３ｂの電圧レベルがＨｉｇｈレベルであれば（ステップＳ１０のＹｅｓ）、ステップＳ２０に移行する。一方、３番端子３ｂの電圧レベルがＨｉｇｈレベルでなければ（ステップＳ１０のＮｏ）、インタフェース制御回路８は１０芯角型コネクタ６に一般外部機器が接続されていると判定し（ステップＳ１２）、インタフェース機能を一般外部機器接続モードにするようにプルアップ制御回路１０、電源供給回路１１、及びＢＩＰインタフェース回路１２を制御し（ステップＳ１４）、その後ステップＳ１０に移行する。ステップＳ１４では、電源供給回路１１は７番端子７ｂに電力供給を行い、インタフェース制御回路８は８番端子８ｂに一般接続機器からの認証発呼信号が入力されてくるかを判定すると共に、９番端子９ｂに認証発呼信号に対する応答信号の出力準備を行う。認証発呼信号が８番端子８ｂに入力されていない場合には、インタフェース制御回路８は１０芯角型コネクタ６に接続されている一般外部機器がイヤホンマイクその他の機器（電源供給を必要としない機器又はデジタルインタフェース制御を必要としない機器）であると判定し、電源供給回路１１の出力をＯＦＦにし、プルアップ制御回路１０の出力をＯＮ（Ｈｉｇｈレベル）にして８番端子８ｂに入力される信号をフックスイッチ検出信号として検出するとともに９番端子９ｂへの信号出力をＯＦＦにする。なお、インタフェース制御回路８から出力される制御信号によって、ＢＩＰインターフェイス回路１２は８番端子８ｂに対して無効になる。一方、認証発呼信号が８番端子８ｂに入力されている場合、インタフェース制御回路８は１０芯角型コネクタ６に接続されている一般外部機器が電源供給を必要とする機器又はデジタルインタフェース制御を必要とする機器であると判定し、電源供給回路１１の出力をＯＮにし、８番端子９ｂに発呼認証信号に対応する応答信号を出力して、認証にて確認した機器に適合したシリアル制御機能を設定し、その設定に基づいて８番端子８ｂから入力される信号及び９番端子９ｂに出力する信号を処理する。なお、インタフェース制御回路８から出力される制御信号によって、ＢＩＰインターフェイス回路１２は８番端子８ｂに対して無効になる。
【００２６】
ステップＳ２０において、インタフェース制御回路８によって６番端子６ｂの電圧レベルがＬｏｗレベルか否かが判定される。
【００２７】
６番端子６ｂの電圧レベルがＬｏｗレベルであれば（ステップＳ２０のＹｅｓ）、ステップＳ３０に移行する。一方、６番端子６ｂの電圧レベルがＬｏｗレベルでなければ（ステップＳ２０のＮｏ）、インタフェース制御回路８は１０芯角型コネクタ６に機器が接続されていないと判定し（ステップＳ２２）、インタフェース機能を機器未接続モードにするようにプルアップ制御回路１０、電源供給回路１１、及びＢＩＰインタフェース回路１２を制御し（ステップＳ２４）、その後ステップＳ１０に移行する。ステップＳ２４では、インタフェース制御回路８は、電源供給回路１１の出力をＯＦＦにし、プルアップ制御回路１０の出力をＯＦＦ（Ｌｏｗレベル）にし、ＢＩＰインタフェース回路１２を８番端子８ｂに対して無効にする。なお、インタフェース制御回路８自体は９番端子９ｂに信号を出力せずに待機状態になる。
【００２８】
ステップＳ３０において、インタフェース制御回路８は１０芯角型コネクタ６に光変換アダプタ２１が接続されていると判定し、その後ステップＳ４０に移行する。ステップＳ４０では、携帯電話端末が光デジタルオーディオ録音可能状態であるか否かをインタフェース制御回路８が判定する。例えば、携帯電話端末に記録媒体が装着されていない場合は光デジタルオーディオ録音可能状態でないと判定される。
【００２９】
携帯電話端末が光デジタルオーディオ録音可能状態であれば（ステップＳ４０のＹｅｓ）、ステップＳ５０に移行する。一方、携帯電話端末が光デジタルオーディオ録音可能状態でなければ（ステップＳ４０のＮｏ）、上述したステップＳ２２に移行する。
【００３０】
ステップＳ５０において、インタフェース制御回路８は、インタフェース機能を光変換アダプタ接続モードにするようにプルアップ制御回路１０、電源供給回路１１、及びＢＩＰインタフェース回路１２を制御する。具体的には、インタフェース制御回路８は、電源供給回路１１に７番端子７ｂへの電力供給を行わせ、プルアップ制御回路１０の出力がＯＮ（Ｈｉｇｈレベル）にし、ＢＩＰインタフェース回路１２を動作状態にする。また、インタフェース制御回路８自体は、８番端子８ｂに対して無効になるとともに９番端子９ｂにアンプ２５のパワー制御を行うための制御信号を出力する。
【００３１】
続くステップＳ６０において、インタフェース制御回路８は光信号入力動作開始のキー入力が操作キー５（図１参照）に対してなされたか否かを判定する。光信号入力動作開始のキー入力が有れば（ステップＳ６０のＹｅｓ）、ステップＳ７０に移行する。一方、光信号入力動作開始のキー入力がなければ（ステップＳ６０のＮｏ）、ステップＳ５０に移行する。
【００３２】
ステップＳ７０では、インタフェース制御回路８が光変換アダプタ２１をパワーＯＮにするための制御信号を９番端子９ｂに出力する。続くステップＳ８０では、８番端子８ｂに入力されたＢＩＰ信号がＢＩＰインタフェース回路１２によって取り込まれ、その取り込まれたＢＩＰ信号がデコーダ（図示せず）によってデコードされたのち、ＳＤカード等の記録媒体に記録される。続くステップＳ９０では、ＢＩＰ信号の入力動作が終了しているか否かをインタフェース制御回路８が判定する。なお、ＢＩＰ信号の入力動作が終了するのは、録音可能なＢＩＰ信号の入力が終了する場合又は録音終了のキー入力が操作キー５（図１参照）に対してなされる場合である。ＢＩＰ信号の入力動作が終了していれば（ステップＳ９０のＹｅｓ）、ステップＳ４０に移行する。一方、ＢＩＰ信号の入力動作が終了していなければ（ステップＳ９０のＮｏ）、ステップＳ８０に移行する。
【００３３】
なお、本実施形態では、図１に示すように光変換アダプタ２１が３．５ｍｍジャック２３を備えているので、ＣＤ再生装置等の光デジタルオーディオ信号を出力するオーディオ機器と光変換アダプタ２１とが光デジタルオーディオケーブル３１（図１参照）を介して接続されることになるが、本発明はこれに限定されることはなく、例えば光変換アダプタが３．５ｍｍジャックの代わりにオーディオ光角型プラグやオーディオ光ミニプラグ（丸型プラグ）を備え、ＣＤ再生装置等の光デジタルオーディオ信号を出力するオーディオ機器と光変換アダプタとが直接接続されるようにしてもよい。
【００３４】
また、本実施形態では、光変換アダプタが入力する光信号は光デジタルオーディオ信号であったが、本発明はこれに限定されることはなく、例えば光デジタル映像信号であっても構わない。
【００３５】
また、本実施形態では、光変換アダプタが具備する１０芯角型プラグに設けられる１０個の端子のうち２つの端子（１番端子１ａ、１０番端子１０ａ（図２参照））がグランド端子であったが、グランド端子を１つにする構成であっても構わない。
【００３６】
また、本実施形態では、９番端子９ａ（図２参照）に入力される信号によってアンプ２５（図２参照）のパワー制御が行われる構成であるが、７番端子７ａ（図２参照）に電力が供給されているときは常時動作状態とする構成であっても構わない。
【００３７】
また、本実施形態では、光変換アダプタに接続される携帯機器として携帯電話端末を例に挙げて説明したが、１０芯角型コネクタを有する他の携帯機器例えばＰＤＡ（Ｐｅｒｓｏｎａｌ  Ｄｉｇｉｔａｌ  Ａｓｓｉｓｔａｎｃｅ）等であってもよい。また、携帯電話端末の形状も当然の事ながら折り畳み型に限定されることはなく、ストレート型、フリップ型、スライド開閉式等の形状であっても構わない。
【００３８】
また、携帯電話端末のコネクタインタフェース回路１’が具備するプルアップ用抵抗Ｒ１〜Ｒ４（図２参照）の接続形態は、本実施形態に限定されることはなく、制御理論が適正であれば他の接続形態であっても構わない。
【００３９】
また、携帯電話端末のコネクタインタフェース回路１’はイヤホンマイクやイヤホンに対応していなくても良い。例えば、図２においてマイク回路７やイヤホン回路９を取り除き、音声通話機能を有さずデジタル通信制御機能のみを有するようにしてもよい。また、光変換アダプタが装着されているとき以外は音声通話機能のみを有するようにしてもよい。
【００４０】
また、本実施形態では、ＢＩＰ信号がデコーダによってデコードされたのちＳＤカード等の記録媒体に記録される構成であったが、ＢＩＰ信号がデコーダによってデコードされたのち携帯電話端末が内蔵するメモリに格納される構成であっても構わない。
【００４１】
【発明の効果】
本発明によると、光デジタル信号を利用する携帯端末の小型化・低廉化を図ることができる光デジタル信号入力システムを実現することができる。
【図面の簡単な説明】
【図１】イヤホンマイク並びに本発明に係る光デジタル信号入力システムを構成する携帯電話端末及び光変換アダプタの外観図である。
【図２】図１に示す携帯電話端末のコネクタインタフェース部及び図１に示す光変換アダプタの回路構成を示す図である。
【図３】図１に示す携帯電話端末のコネクタインタフェース部の動作を示すフローチャート図である。
【符号の説明】
１  携帯電話端末
６  携帯電話用角型コネクタ（１０芯角型コネクタ）
７  マイク回路
８  インターフェイス制御回路
９  イヤホン回路
１０  プルアップ制御回路
１１  電源供給回路
１２  ＢＩＰインタフェース回路
２１  光変換アダプタ
２２  １０芯角型コネクタ用プラグ（１０芯角型プラグ）
２４  フォトダイオード
２５  アンプ
【図１】
2004153494.tif 000003
【図２】
2004153494.tif 000004
【図３】
2004153494.tif 000005